(57)【要約】【課題】  揺動絞り羽根が直線絞り羽根と干渉することによって、揺動絞り羽根の円滑な揺動が阻害されることを防止する。【解決手段】  一対の直進絞り羽根４４が、絞り用開口２の対向する箇所に光軸と直交する平面に沿って光軸に対して接離する方向にスライド可能に設けられ、一対の揺動絞り羽根４６、４８が、光軸と平行する軸心を中心として光軸に対して接離する方向に揺動可能に設けられ、スペーサ５０が、直進絞り羽根と揺動絞り羽根との間に設けられ、スペーサは直進絞り羽根に設けられたガイド溝４４０２を覆っている。【選択図】図２５
2010204693.tif 000002
【特許請求の範囲】
【請求項１】
光学系の光軸を中心とする絞り用開口の大きさを調整する光量調整装置であって、
前記絞り用開口の対向する箇所に前記光軸と直交する平面に沿って前記光軸に対して接離する方向にスライド可能に設けられた一対の直進絞り羽根と、
前記絞り用開口の対向する箇所に前記光軸と平行する軸心を中心として前記光軸に対して接離する方向に揺動可能に設けられた一対の揺動絞り羽根と、
前記直進絞り羽根と前記揺動絞り羽根の間に設けられたスペーサと、
前記一対の直進絞り羽根をスライドさせると共に前記一対の揺動絞り羽根を揺動させることで前記絞り用開口の大きさを調整する駆動機構とを備え、
前記スペーサは一対設けられ、前記一対のスペーサのうちの一方のスペーサが、前記一対の直進絞り羽根のうちの一方に設けられた前記直進絞り羽根のガイド溝を覆う位置にある
光量調整装置。
【請求項２】
前記スペーサは、前記直進絞り羽根をスライドさせるためのガイドピンによって、前記光量調整装置に前記光軸に垂直な平面において位置決めされている
請求項１に記載の光量調整装置。
【請求項３】
前記一方のスペーサには取付孔が設けられ、
前記直進絞り羽根の一方をスライドさせるためのガイドピンに前記一方のスペーサの取付孔が挿通されて、前記一方のスペーサが前記光軸に垂直な平面内において位置決めされる
請求項１に記載の光量調整装置。
【請求項４】
前記揺動絞り羽根は、前記揺動絞り羽根を揺動するためのカム溝の一部に、前記揺動絞り羽根の揺動速度を増速するカム溝部分を備える
請求項１に記載の光量調整装置。
【請求項５】
前記カム溝部分は、前記揺動絞り羽根が全閉状態となる直前の揺動位置から全閉状態の揺動位置に移動する際に用いられるカム溝部分に設けられる
請求項４に記載の光量調整装置。
【請求項６】
複数対の揺動絞り羽根を備え、
前記カム溝部分は、前記複数対の揺動絞り羽根のうちの一対の揺動絞り羽根に設けられる
請求項４に記載の光量調整装置。
【発明の詳細な説明】
【技術分野】
【０００１】
本発明は光量調整装置に関する。
【背景技術】
【０００２】
ビデオカメラやデジタルスチルカメラ等の撮像装置のレンズ鏡筒に組み込まれる光量調整装置（絞り装置）がある。
【０００３】
光量調整装置として、絞り用開口の周囲に配置された複数枚の絞り羽根を連動して揺動させることにより絞り用開口の大きさを調整する虹彩絞りを採用したものと、絞り用開口を挟み、光軸と直交する直線に沿って２枚の絞り羽根をスライドさせるもの（特許文献１参照）とが使用されている。
【０００４】
前者の光量調整装置は、複数の絞り羽根を絞り用開口の周囲に並べて配置する構造であることから、絞り用開口の周囲に大きなスペースが必要となるので小型化を図る上で不利がある。
【０００５】
これに対して後者の光量調整装置は、２枚の絞り羽根を直線上に沿ってスライドさせる構造であることから、絞り羽根の両側に大きなスペースを必要としないので小型化を図る上で有利である。
【０００６】
【特許文献１】特開２０００−３５２７３６
【発明の開示】
【発明が解決しようとする課題】
【０００７】
しかしながら、後者の光量調整装置では、２枚の絞り羽根によって形成される絞り形状（絞り用開口の形状）が開放状態では略円形であるが、絞り用開口を絞るにつれて略ひし形となるため、図２７（Ｂ）に示すように、撮影時に絞り形状のゴースト２や絞り形状のボケが発生した場合、それらゴースト２やボケの形状がひし形となるため、視覚的に不自然な画像が撮影されてしまう。
【０００８】
これに対して虹彩絞りを使用する光量調整装置では、絞り用開口の大きさに拘わらず絞り形状が略円形、あるいは、正多角形となるため、図２７（Ａ）に示すように、ゴースト２やボケの形状が略円形、あるいは、略正多角形となるため、視覚的に自然な画像が撮影される。
【０００９】
また、後者の光量調整装置では、絞り形状がひし形となることで、絞り羽根の縁部（絞り用開口端）で反射する光線によって生じる回折劣化が撮影画像の解像度に及ぼす影響が虹彩絞りの場合に比較して目立ちやすい不利がある。
【００１０】
また、直線絞り羽根と揺動絞り羽根が干渉し合うことによって、揺動絞り羽根の円滑な揺動が阻害されるという問題があった。
【００１１】
本発明はこのような事情に鑑みなされたものであり、その目的は良好な絞り形状と揺動絞り羽根の円滑に揺動を実現しつつ小型化を図る上で有利な光量調整装置を提供することにある。
【課題を解決するための手段】
【００１２】
上述の目的を達成するため、本発明は、光学系の光軸を中心とする絞り用開口の大きさを調整する光量調整装置であって、前記絞り用開口の対向する箇所に前記光軸と直交する平面に沿って前記光軸に対して接離する方向にスライド可能に設けられた一対の直進絞り羽根と、前記絞り用開口の対向する箇所に前記光軸と平行する軸心を中心として前記光軸に対して接離する方向に揺動可能に設けられた一対の揺動絞り羽根と、前記直進絞り羽根と前記揺動絞り羽根の間に設けられたスペーサと、前記一対の直進絞り羽根をスライドさせると共に前記一対の揺動絞り羽根を揺動させることで前記絞り用開口の大きさを調整する駆動機構とを備え、前記スペーサは一対設けられ、前記一対のスペーサのうちの一方のスペーサが、前記一対の直進絞り羽根のうちの一方に設けられた前記直進絞り羽根のガイド溝を覆う位置にあることを特徴とする。
【発明の効果】
【００１３】
本発明によれば、一対の直進絞り羽根と、一対の揺動絞り羽根とを設け、直進絞り羽根をスライドさせると共に揺動絞り羽根を揺動させることで絞り用開口の大きさを調整するようにしたので、形成される絞り用開口の形状を絞り用開口の大きさに拘わらず略円形あるいは略正六角形とすることができ、虹彩絞りを用いた光量調整装置に比較して絞り用開口の周囲のスペースを縮小することができる。また、スペーサが直線絞り羽根のガイド溝と揺動絞り羽根との間に介在されているので、直線絞り羽根のガイド溝と揺動絞り羽根との干渉が防止され、揺動絞り羽根の揺動を円滑にすることができる。
【発明を実施するための最良の形態】
【００１４】
次に、本発明の実施の形態について図面を参照して説明する。
【００１５】
図１は本実施の形態の撮像装置１０の斜視図、図２は撮像装置１０のディスプレイパネル２２が開放位置に位置した状態の斜視図、図３は撮像装置１０の制御系の構成を示すブロック図である。
【００１６】
まず、図３を参照して撮像装置１０の制御系の構成について説明する。
【００１７】
本実施の形態では、撮像装置１０はビデオカメラであり記録媒体に対して撮影した動画、静止画、音声などのデータを記録し、また、記録媒体からそれらのデータを再生する。
【００１８】
本実施の形態では、記録媒体として板状または棒状の記録媒体であるメモリカード２を用いた場合について説明するが、記録媒体として磁気記録テープ、光ディスク、ハードディスク装置などを用いてもよいことは無論であり、記録媒体として何を用いるかは任意である。
【００１９】
撮像装置１０は外装を構成する筐体１２を有し、筐体１２には撮影光学系１４が組み込まれたレンズ鏡筒１６が設けられ、レンズ鏡筒１６の後端には撮影光学系１４によって導かれた被写体像を撮像する撮像素子１８が設けられ、レンズ鏡筒１６に本発明に係る光量調整装置４０が組み込まれている。
【００２０】
また、撮像装置１０は、マイク２０、ディスプレイパネル２２、スピーカー２６、映像信号用増幅部１０２、映像信号処理部１０４、マイクロフォン用増幅部１０６、音声信号処理部１０８、出力用増幅部１１０、記録再生部１１２、制御部１１４、ディスプレイパネルドライバ１１６、バッファメモリ１１８、メモリカード用インターフェース１２０、操作部１２６、外部入出力インターフェース１２８、外部入出力端子１３０、モータ駆動部４１などを含んで構成されている。
【００２１】
撮像素子１８で生成された撮像信号は映像信号用増幅部１０２で増幅され、映像信号処理部１０４に供給される。
【００２２】
映像信号処理部１０４は、撮像信号に所定の信号処理を行うことで、動画データおよび静止画データを生成し、記録再生部１１２に供給される。
【００２３】
マイクロフォン２０で収音された音声信号はマイクロフォン用増幅部１０６で増幅され、音声信号処理部１０８によって所定の信号処理がなされ音声データとして記録再生部１１２に供給される。
【００２４】
記録再生部１１２は、映像信号処理部１０４から供給された動画データおよび静止画データや音声信号処理部１０８から供給された音声データを制御部１１４の制御にしたがってメモリカード用インターフェース１２０を介してメモリカード２に記録する。
【００２５】
記録再生部１１２によるメモリカード２へのデータの記録は、例えば、メモリカード２に記録すべきデータをいったんバッファメモリ１１８に蓄積したのち、バッファメモリ１１８から読み出したデータをメモリカード２に書き込むことでなされる。
【００２６】
また、記録再生部１１２は、記録再生部１１２から供給された動画データおよび静止画データを、ディスプレイパネルドライバ１１６を介してディスプレイパネル２２に供給して画像の表示を行わせる。
【００２７】
また、記録再生部１１２は、メモリカード用インターフェース１２０を介してメモリカード２から供給される動画データ、静止画データを、ディスプレイパネルドライバ１１６を介してディスプレイパネル２２に供給して画像の表示を行わせるとともに、メモリカード用インターフェース１２０を介してメモリカード２から供給される音声信号を出力用増幅部１１０を介してスピーカー２６に供給して音声の出力を行わせる。
【００２８】
外部入出力インターフェース１２８は記録再生部１１２で再生された音声データおよび画像データを所定の信号形式に変換して、外部入出力端子１３０を介してテレビジョン装置、ＨＤＤレコーダー、パーソナルコンピュータなど外部機器に出力するものである。
【００２９】
操作部１２６は、図２に示す複数の操作スイッチ２４、電源スイッチ２８Ａ、静止画撮影用スイッチ２８Ｂ、ズーム用スイッチ２８Ｃ、モード切り換え用スイッチ２８Ｄ、動画撮影用スイッチ２８Ｅを備えるものである。これらスイッチ２４、２８Ａ乃至２８Ｅは撮影にまつわる種々の機能を実行するための操作スイッチである。
【００３０】
制御部１１４は、電源スイッチ２８Ａの操作に基づいて撮像装置１０の電源のオン、オフを行う。
【００３１】
制御部１１４は、静止画撮影用スイッチ２８Ｂの操作に基づいて映像信号処理部１０４および記録再生部１１２に指令を与えることにより、映像信号処理部１０４から供給される静止画データを記録再生部１１２を介してメモリカード用インターフェース１２０に供給することで静止画データをメモリカード２に記録させる。言い換えると、静止画撮影用スイッチ２８Ｂは、いわゆるシャッタボタンとして機能している。
【００３２】
制御部１１４は、ズーム用スイッチ２８Ｃの操作に基づいて不図示のズーム駆動部に指令を与えることにより、撮影光学系１４の可動レンズを移動させることにより、撮影光学系１４のズーム率を変化させる。
【００３３】
制御部１１４は、モード切り換え用スイッチ２８Ｄの操作に基づいて映像信号処理部１０４に指令を与えることにより、映像信号処理部１０４によって動画データを生成させる動画撮影モードと、映像信号処理部１０４によって静止画データを生成させる静止画撮影モードとを切り換える。
【００３４】
なお、動画撮影モードでは、映像信号処理部１０４で生成された動画データが記録再生部１１２を介してメモリカード２に記録され、静止画撮影モードでは、映像信号処理部１０４で生成されたで生成された静止画データが記録再生部１１２を介してメモリカード２に記録される。
【００３５】
制御部１１４は、動画撮影用スイッチ２８Ｅの操作に基づいて動画データの記録の開始、記録の停止を行わせる。すなわち、制御部１１４は、動画撮影用スイッチ２８Ｅの操作に基づいて映像信号処理部１０４および記録再生部１１２に指令を与えることにより、映像信号処理部１０４からに供給される動画データを記録再生部１１２を介してメモリカード用インターフェース１２０に供給することで動画データをメモリカード２に記録させる動作を開始させ、あるいは、その動作を停止させる。言い換えると、動画撮影用スイッチ２８Ｅは、いわゆる撮影スタート／ストップの操作部材として機能している。
【００３６】
また、パネル側動画撮影用スイッチ３０Ａ、パネル側ズーム用スイッチ３０Ｂ、メニュー操作用スイッチ３０Ｃは制御部１１４に接続されている。パネル側動画撮影用スイッチ３０Ａは動画撮影用スイッチ２８Ｅと同様の機能を有し、パネル側ズーム用スイッチ３０Ｂはズーム用スイッチ２８Ｃと同様の機能を有している。また、メニュー操作用スイッチ３０Ｃは、ディスプレイパネル２２に表示されるメニューの階層を最上位の階層に直接戻すために操作されるスイッチである。
【００３７】
モータ駆動部４１は、制御部１１４の制御に基づいて後述する光量調整装置４０のモータ５４（図４）の駆動制御を行うものである。
【００３８】
次に撮像装置１０の構成について説明する。
【００３９】
図１、図２に示すように、筐体１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
【００４０】
レンズ鏡筒１６は、筐体１２の上部の前部で前後に延在し、その前部が筐体１２の前面に臨むように設けられ、したがって、被写体像は筐体１２の前部から筐体１２の内部に導かれる。
【００４１】
撮像素子１８（図３）はレンズ鏡筒１６の後端に設けられている。
【００４２】
マイクロフォン２０はレンズ鏡筒１６の上面に設けられている。
【００４３】
ディスプレイパネル２２は、筐体１２の左側部に開閉可能に設けられている。
【００４４】
ディスプレイパネル２２は、ディスプレイ装置３２とパネル用ケース３４とを備え、長方形板状を呈している。
【００４５】
図２に示すように、ディスプレイ装置３２は、撮像素子１８によって撮像された被写体像などを表示するものであり、画像を表示する長方形の表示面３２０２を有し、この表示面３２０２はディスプレイパネル２２の内面を構成している。
【００４６】
本実施の形態では、ディスプレイ装置３２は液晶ディスプレイ装置で構成されているが、ディスプレイ装置３２の種類は任意であり、例えば、有機ＥＬディスプレイ装置であってもよい。
【００４７】
ディスプレイパネル２２は、その一方の短辺寄りの箇所がヒンジ２２０２を介して筐体１２の左側部の前部寄りの箇所に連結され、筐体１２の上下方向に延在する第１の軸線Ｏ１回りに揺動可能に、かつ、第１の軸線Ｏ１と直交する第２の軸線Ｏ２回りに揺動可能に連結されている。
【００４８】
本実施の形態では、ディスプレイパネル２２は、図１に示すように、第１の軸線Ｏ１回りで、ディスプレイ装置３２の表示面３２０２（パネル２２の内面）が筐体１２の左側面１２Ａに重ね合わされた収容位置と、図２に示すように、収容位置から９０度開かれディスプレイ装置３２の表示面３２０２が後方を向いた開放位置との間で揺動するように構成されている。なお、表示面３２０２（パネル２２の内面）を筐体１２の左側面１２Ａに重ね合わせた収容位置においてディスプレイパネル２２の外面２２１０（図１）が外方に向けられる。
【００４９】
また、ディスプレイパネル２２は、前記開放位置において第２の軸線Ｏ２回りに、ディスプレイ装置３２の表示面３２０２が前方を向いた位置と、下方を向いた位置との間で２７０度の範囲で揺動するように構成されている。
【００５０】
図２に示すように、筐体１２の左側面１２Ａには、種々の操作を行うための複数の操作スイッチ２４、スピーカー２６などが設けられている。
【００５１】
筐体１２の上部の後部寄りの箇所には、電源スイッチ２８Ａ、静止画撮影用スイッチ２８Ｂ、ズーム用スイッチ２８Ｃ、モード切り換え用スイッチ２８Ｄなどが設けられ、筐体１２の後面には、動画撮影用スイッチ２８Ｅが設けられている。
【００５２】
また、ディスプレイパネル２２には、パネル側動画撮影用スイッチ３０Ａ、パネル側ズーム用スイッチ３０Ｂ、メニュー操作用スイッチ３０Ｃなどが設けられている。
【００５３】
図２に示すように、筐体１２の左側面１２Ａの下部に、メモリカード２が挿脱されるスロット３６とスロット３６の開口３６０２を開閉する蓋体３８が設けられている。
【００５４】
メモリカード２はスロット３６に挿入されることで、メモリカード２の接続端子がスロット３６内部のコネクタ（不図示）に電気的に接続され、これにより、コネクタを介してメモリカード用インターフェース１２０との間で信号の授受を行う。
【００５５】
次に本発明の要旨である光量調整装置４０について説明する。
【００５６】
図４は光量調整装置４０の構成を示す分解斜視図、図５は光量調整装置４０から直進絞り羽根４４および第１、第２揺動絞り羽根４６、４８を取り除いて後方から見た斜視図、図６は光量調整装置４０から直進絞り羽根４４および第１、第２揺動絞り羽根４６、４８を取り除いて後方から見た平面図、図７は光量調整装置４０を後方から見た斜視図である。
図２４はベース部材４２と環板５２の断面図である。
【００５７】
図４乃至図７に示すように、光量調整装置４０は、撮影光学系１４を介して撮像素子１８に導かれる光線束を制限する絞り用開口２の大きさを調整することで、撮像素子１８に導かれる光量の調整を行うものである。
【００５８】
光量調整装置４０は、撮像素子１８の前方に配置され、本実施の形態では、光量調整装置４０は、ベース部材４２と、一対の直進絞り羽根４４と、一対の第１揺動絞り羽根４６と、一対の第２揺動絞り羽根４８と、２枚のスペーサ５０と、環板５２と、モータ５４と、蓋体５６（図９参照）などを含んで構成されている。
【００５９】
ベース部材４２は光を透過しない合成樹脂製で長方形板状を呈し、その長辺方向を筐体１２の上下に向けた状態でレンズ鏡筒１６に組み込まれている。
【００６０】
ベース部材４２は、図４、図２４に示すように、前方に臨む前面４２Ａと後方に臨む後面４２Ｂとを有し、ベース部材４２には撮影光学系１４の光軸Ｌを中心とした円形の孔４２Ｃが形成されている。
【００６１】
ベース部材４２の後面４２Ｂには、図４、図５に示すように、２つの直進絞り羽根４４をそれぞれスライド可能に案内する直進絞り羽根用ガイドピン５８が１つの直進絞り羽根４４について２つずつ設けられ、それら直進絞り羽根用ガイドピン５８は孔４２Ｃの周囲近傍に設けられている。
【００６２】
また、後面４２Ｂには、一対の第１揺動絞り羽根４６をそれぞれ揺動可能に支持する第１揺動絞り羽根用支軸６０がそれぞれ設けられると共に、一対の第２揺動絞り羽根４８をそれぞれ揺動可能に支持する第２揺動絞り羽根用支軸６２がそれぞれ設けられている。
ベース部材４２の前面４２Ａで孔４２Ｃの周囲には、図２４に示すように、環板状の凹部６４が形成されている。
【００６３】
また、凹部６４の外側の前面４２Ａの箇所には、図１０、図２４に示すように、凹部６４の周方向に間隔をおいて２つの係止壁６５が設けられ、それら係止壁６５は凹部６４上を延在している。
【００６４】
ベース部材４２には、図５に示すように、後述する環板５２に設けられた第２揺動絞り羽根用駆動ピン５２Ｆが挿通される円弧状の逃げ溝６６が光軸Ｌの周方向に延在して２つ設けられている。それら逃げ溝６６は孔４６Ｃと同軸上に形成され、直進絞り羽根４４が往復直線移動する方向における孔４６Ｃの両側に設けられている。
【００６５】
環板５２は光を透過しない合成樹脂製で、図４、図２４に示すように、環板状の第１環板部５２Ａと、第１環板部５２Ａの外周に沿って第１環板部５２Ａの厚さ方向の一方（前方）に変位して形成された第２環板部５２Ｂと有し、第１環板部５２Ａの中心には孔５２Ｃが形成され、第１、第２環板部５２Ａ、５２Ｂ、孔５２Ｃは同軸上に設けられている。
【００６６】
第１環板部５２Ａが厚さ方向の他方に臨む面（後方に臨む面）には、図４、図５に示すように、２つの直進絞り羽根用駆動ピン５２Ｄが環板５２の中心軸を中心に１８０度の間隔をおいて突設されると共に２つの第１揺動絞り羽根用駆動ピン５２Ｅとが環板５２の中心軸を中心に１８０度の間隔をおいて突設されている。
【００６７】
第２環板部５２Ｂが厚さ方向の他方に臨む面（後方に臨む面）には、２つの第２揺動絞り羽根用駆動ピン５２Ｆが環板５２の中心軸を中心に１８０度の間隔をおいて突設されている。
【００６８】
第２環板部５２Ｂの外周の一部に、半径方向外側に突出するギア部５３が設けられている。ギア部５３は、環板５２の中心軸を中心とする扇状に形成されている。
【００６９】
なお、図１０において符号５２０２は、環板５２をベース４２に組み付ける際に、係止壁６５を挿通させるために第２環板部５２Ｂに設けられた切り欠きである。
環板５２のベース４２への組み付けは、図２４に示すように、ベース４２の係止壁６５を第２環板部５２Ｂの切り欠き５２０２を介して通しつつ、第１環板部５２Ａの外周面をベース４２の孔４２Ｃの内周面に摺動可能に挿入し、第２環板部５２Ｂが厚さ方向の一方（後方）に臨む面をベース４２の凹部６４に係止させると共に、第２環板部５２Ｂの厚さ方向の他方（前方に）臨む面を係止壁６５に係止させることで行われ、これにより環板５２はベース４２に回転可能に支持される。
【００７０】
また、本実施の形態では、図２４に示すように、環板５２を、環板状の第１環板部５２Ａと、第１環板部５２Ａの外周に沿って該第１環板部５２Ａの厚さ方向の一方（前方）に変位して形成された第２環板部５２Ｂと有する構成とした。
【００７１】
そのため、前後方向において第２環板部５２Ｂが第１環板部５２Ａよりも後方に変位した箇所に位置することから、第２環板部５２Ｂの前方に凹状のスペースが形成される。
【００７２】
したがって、光量調整装置４０の前方に光軸Ｌ方向に移動する可動レンズが配置されている場合には、前記可動レンズが後方に臨む箇所を前記凹状のスペースに収容させることで可動レンズのストロークを確保することができ、これによりレンズ鏡筒１６の光軸方向の寸法の縮小を図れ、ひいては、撮像装置１０の小型化を図る上で有利となる。
【００７３】
モータ５４は、図４に示すように、ケース５４Ａと、取り付け片５４Ｂと、駆動ギア５４Ｃとを有し、モータ駆動部４１（図３）から供給される駆動電流に基づいて正方向あるいは逆方向に回転駆動される。
【００７４】
ケース５４Ａの一端は取り付け片５４Ｂを介してベース４２の前面４２Ａに取着されている。
【００７５】
駆動ギア５４Ｃはケース５４Ａの一端から突出する駆動軸に固定され、環板５２のギア部５３に噛合している。
【００７６】
モータ５４が正逆方向に回転駆動することにより、駆動ギア５４Ｃおよびギア部５３を介して環板５２が該環板５２の中心軸を中心として揺動される。
【００７７】
図２０は直進絞り羽根４４の平面図である。
【００７８】
直進絞り羽根４４は光を透過しない合成樹脂製で薄板状を呈し、直線部と、該直線部に続く湾曲部とで構成されている。
【００７９】
直線部には、２つのガイド溝４４０２と、長孔４４０４が形成され、湾曲部には、開口形成用縁部４４Aが形成されている。
【００８０】
２つのガイド溝４４０２は板部４４Ａの直線部に沿った同一直線上に延在形成されている。
【００８１】
長孔４４０４は２つのガイド溝４４０２の間の箇所で前記直線と直交する方向に延在形成されている。
【００８２】
開口形成用縁部４４Ａは、光量調整装置４０の絞り用開口２を形成するものであり、板部４４Ａの湾曲部に沿って凹状の半円弧状に延在形成されている。
【００８３】
図２１は第１揺動絞り羽根４６の平面図である。
【００８４】
第１揺動絞り羽根４６は光を透過しない合成樹脂製で薄板状を呈し細長形状を呈している。
【００８５】
第１揺動絞り羽根４６には、孔４６０２と、カム溝４６０４と、開口形成用縁部４６Ａが設けられている。
【００８６】
孔４６０２は、第１揺動絞り羽根４６の長手方向の一端に形成されている。
【００８７】
カム溝４６０４は、第１揺動絞り羽根４６の長手方向の中間部に延在形成されている。
開口形成用縁部４６Ａは、光量調整装置４０の絞り用開口２を形成するものであり、第１揺動絞り羽根４６の長手方向の他端寄りの幅方向の一側に沿って凹状の円弧状に延在形成されている。
【００８８】
図２２は第２揺動絞り羽根４８の平面図である。
【００８９】
第２揺動絞り羽根４８は光を透過しない合成樹脂製で薄板状を呈し、長手方向の両端に至るに従ってその幅が次第に狭くなる形状を呈している。
【００９０】
第２揺動絞り羽根４８には、孔４８０２と、カム溝４８０４と、開口形成用縁部４８Ａが設けられている。
【００９１】
孔４８０２は、板部４８Ａの長手方向の一端に形成されている。
【００９２】
カム溝４８０４は、板部４８Ａの長手方向の中間部に延在形成される。
【００９３】
開口形成用縁部４８Ａは、光量調整装置４０の絞り用開口２を形成するものであり、第２揺動絞り羽根４８の長手方向の他端寄りの幅方向の一側に沿って凹状の円弧状に延在形成されている。
【００９４】
図２３はスペーサ５０の平面図である。
【００９５】
スペーサ５０は光を透過しない合成樹脂製で薄板状を呈し細長形状を呈している。
【００９６】
スペーサ５０は長手方向に間隔をおいて２つの取付孔５００２が形成されている。
【００９７】
蓋体５６は光を透過しない金属製で、図９に示すように、ベース部材４２の後面４２Ａを覆うに足る大きさの薄板で形成され、蓋体５６は、ベース部材４２に取り付けられた状態で絞り用開口２を外方に臨ませる孔５６Ａが形成され、孔５６Ａはベース部材４２の孔４２Ｃと同一の直径を有している。
【００９８】
一対の直進絞り羽根４４と、一対の第１揺動絞り羽根４６と、一対の第２揺動絞り羽根４８と、２枚のスペーサ５０は、孔４６Ｃの周囲のベース部材４２の箇所にそれぞれ組み付けられる。
【００９９】
詳細に説明すると、一対の直進絞り羽根４４の一方と、一対の第１揺動絞り羽根４６の一方と、一対の第２揺動絞り羽根４８の一方と、２枚のスペーサ５０の一方は次のように組み付けられる。
【０１００】
すなわち、図４に示すように、一対の第２揺動絞り羽根４８のうち一方の第２揺動絞り羽根４８をベース部材４２の後面４２Ｂに臨ませつつ、第２揺動絞り羽根４８の孔４８０２に一方の第２揺動絞り羽根用支軸６２を挿通すると共に、一方の第２揺動絞り羽根４８のカム溝４８０４に一方の第２揺動絞り羽根用駆動ピン５２Ｆを挿通する。
【０１０１】
次いで、一対の第１揺動絞り羽根４６のうち一方の第１揺動絞り羽根４６を一方の第２揺動絞り羽根４８の上に重ね合わせるように、一方の第１揺動絞り羽根４６の孔４６０２に一方の第１揺動絞り羽根用支軸６０を挿通すると共に、一方の第１揺動絞り羽根４６のカム溝４６０４に一方の第１揺動絞り羽根用駆動ピン５２Ｅを挿通する。
【０１０２】
次いで、一対の直進絞り羽根４４のうち一方の直進絞り羽根４４を、一方の第１、第２揺動絞り羽根４６、４８の上に重ね合わせるように、一方の直進絞り羽根４４の２つのガイド溝４４０２に一方の直進絞り羽根用ガイドピン５８をそれぞれ挿通すると共に、一方の直進絞り羽根４４の長孔４４０４に一方の直進絞り羽根用駆動ピン５２Ｄを挿通する。
【０１０３】
次いで、２枚のスペーサ５０のうち一方のスペーサ５０を一方の直進絞り羽根４４の上に重ね合わせるように、一方のスペーサ５０の２つの取付孔５００２に一方の２つの直進絞り羽根用ガイドピン５８をそれぞれ挿通する。
【０１０４】
また、一対の直進絞り羽根４４の他方と、一対の第１揺動絞り羽根４６の他方と、一対の第２揺動絞り羽根４８の他方と、２枚のスペーサ５０の他方は次のように組み付けられる。
【０１０５】
すなわち、２枚のスペーサ５０のうち他方のスペーサ５０を一方の第１揺動絞り羽根４６の上に重ね合わせるように、他方のスペーサ５０の２つの取付孔５００２に他方の２つの直進絞り羽根用ガイドピン５８をそれぞれ挿通する。
【０１０６】
次いで、一対の直進絞り羽根４４のうち他方の直進絞り羽根４４を、２枚のスペーサ５０の上に重ね合わせるように、他方の直進絞り羽根４４の２つのガイド溝４４０２に他方の直進絞り羽根用ガイドピン５８をそれぞれ挿通すると共に、他方の直進絞り羽根４４の長孔４４０４に他方の直進絞り羽根用駆動ピン５２Ｄを挿通する。
【０１０７】
次いで、一対の第１揺動絞り羽根４６のうち他方の第１揺動絞り羽根４６を他方の直進絞り羽根４４の上に重ね合わせるように、他方の第１揺動絞り羽根４６の孔４６０２に他方の第１揺動絞り羽根用支軸６０を挿通すると共に、他方の第１揺動絞り羽根４６のカム溝４６０４に他方の第１揺動絞り羽根用駆動ピン５２Ｅを挿通する。
【０１０８】
次いで、一対の第２揺動絞り羽根４８のうち他方の第２揺動絞り羽根４８を他方の直進絞り羽根４４および他方の第１揺動絞り羽根４６の上に重ね合わせるように、他方の第２揺動絞り羽根４８の孔４８０２に他方の第２揺動絞り羽根用支軸６２を挿通すると共に、他方の第２揺動絞り羽根４８のカム溝４８０４に他方の第２揺動絞り羽根用駆動ピン５２Ｆを挿通する。
【０１０９】
最後に、図９に示すように、蓋体５６をベース部材４２の後方からベース部材４２に取り付けることで、ベース部材４２に組み付けられた一対の直進絞り羽根４４と、一対の第１揺動絞り羽根４６と、一対の第２揺動絞り羽根４８と、２枚のスペーサ５０が蓋体５６によって覆われる。
【０１１０】
これにより、図７に示すように、ベース部材４２の後面４２Ｂ上に、一方の第２揺動絞り羽根４８、一方の第１揺動絞り羽根４６、一方の直進絞り羽根４４、他方の直進絞り羽根４４、他方の第１揺動絞り羽根４６、他方の第２揺動絞り羽根４８がこれらの順番に重ね合わされると共に、一方のスペーサ５０が一方の直進絞り羽根４４と他方の第１揺動絞り羽根４６との間に介在され、他方のスペーサ５０が一方の第１揺動絞り羽根４６と他方の直進絞り羽根４４との間に介在された状態となる。
【０１１１】
また、２組の各一対の揺動絞り羽根４６、４８のうちの一方の揺動絞り羽根４６、４８は、一対の直進絞り羽根４４が光軸方向に臨む両面のうちの一方の面である前面側に配置され、２組の各一対の揺動絞り羽根４６、４８のうちの他方の揺動絞り羽根４６、４８は、一対の直進絞り羽根４４が光軸方向に臨む両面のうちの他方の面である後面側に配置されることになる。
【０１１２】
また、一対の直進絞り羽根４４は、絞り用開口２の対向する箇所に光軸Ｌと直交する平面に沿って光軸Ｌに対して接離する方向にスライド可能に設けられることになる。
また、一対の第１揺動絞り羽根４６は、絞り用開口２の対向する箇所に光軸Ｌと平行する軸心を中心として光軸Ｌに対して接離する方向に揺動可能に設けられることになる。
【０１１３】
また、一対の第２揺動絞り羽根４８は、絞り用開口２の対向する箇所に光軸Ｌと平行する軸心を中心として光軸Ｌに対して接離する方向に揺動可能に設けられることになる。
また、直進絞り羽根４４をスライドさせると共に第１、第２揺動絞り羽根４６、４８を揺動させることで絞り用開口２の大きさを調整する駆動機構が、モータ５４と、駆動ギア５４Ｃと、ギア部５３と、環板５２とを含んで構成されている。
【０１１４】
また、直進絞り羽根４４の開口形成用縁部４４Ａにより、直進絞り羽根４４がスライドされる方向における絞り用開口２の縁部分が形成され、第１揺動絞り羽根４６の開口形成用縁部４６Ａおよび第２揺動絞り羽根４８の開口形成用縁部４８Ａにより、直進絞り羽根４４がスライドされる方向と直交する方向おける絞り用開口２の縁部分が形成されることになる。
【０１１５】
また、図８に示すように、第１揺動絞り羽根用支軸６０（一対の第１揺動絞り羽根４６の揺動支点）は、光軸方向から見て一対の直進絞り羽根４４の移動軌跡の延長範囲内に位置している。
【０１１６】
また、図８に示すように、第２揺動絞り羽根用支軸６２（一対の第２揺動絞り羽根４８の揺動支点）は、光軸方向から見て一対の直進絞り羽根４４の移動軌跡の延長範囲内に位置している。
【０１１７】
また、図８に示すように、前記駆動機構は、光軸方向から見て一対の直進絞り羽根４４の移動軌跡の延長範囲内に位置している。
【０１１８】
次に、光量調整装置４０の動作について説明する。
【０１１９】
まず、図８乃至図１０に示すように、絞り用開口２が開放状態にある場合について説明すると、直進絞り羽根４４のガイド溝４４０２の長手方向の一端に直進絞り羽根用ガイドピン５８が位置し、第１揺動絞り羽根４６のカム溝４６０４の長手方向の一端に第１揺動絞り羽根用駆動ピン５２Ｅが位置し、第２揺動絞り羽根４８のカム溝４８０４の長手方向の一端に第２揺動絞り羽根用駆動ピン５２Ｆが位置している。
【０１２０】
この状態で、絞り用開口２は、一対の直進絞り羽根４４の開口形成用縁部４４Ａと、一対の第１揺動絞り羽根４６の開口形成用縁部４６Ａと、一対の第２揺動絞り羽根４８の開口形成用縁部４８Ａとによって略円形の形状となるように形成されている。
【０１２１】
また、本実施の形態では、この開放状態において絞り用開口２の直径とベース部材４２の孔４２Ｃの直径とが同一となっている。
【０１２２】
ここで、モータ５４が正方向に回転駆動されることにより、環板５２が所定量回転されると、一対の直進絞り羽根４４の長孔４４０４に係合する直進絞り羽根用駆動ピン５２Ｄが揺動する。これにより、直進絞り羽根４４は、ガイド溝４４０２およびこのガイド溝４４０２に係合する直進絞り羽根用ガイドピン５８を介して所定量スライドし、図１１乃至図１３に示すように、対向する一対の直進絞り羽根４４の開口形成用縁部４４Ａの間隔、すなわち、絞り用開口２の直径が縮小される。
【０１２３】
また、環板５２が所定量回転されると、第１揺動絞り羽根用駆動ピン５２Ｅが揺動することによりカム溝４６０４を介して一対の第１揺動絞り羽根４６は第１揺動絞り羽根用支軸６０を中心に所定量揺動し、図１１乃至図１３に示すように、対向する一対の第１揺動絞り羽根４６の開口形成用縁部４６Ａの間隔、すなわち、絞り用開口２の直径が縮小される。
【０１２４】
また、環板５２が所定量回転されると、第２揺動絞り羽根用駆動ピン５２Ｆが揺動することによりカム溝４８０４を介して一対の第２揺動絞り羽根４８は第２揺動絞り羽根用支軸６２を中心に所定量揺動し、図１１乃至図１３に示すように、対向する一対の第２揺動絞り羽根４８の開口形成用縁部４８Ａの間隔、すなわち、絞り用開口２の直径が縮小される。
【０１２５】
この際、一対の直進絞り羽根４４の開口形成用縁部４４Ａの間隔と、一対の第１揺動絞り羽根４６の開口形成用縁部４６Ａの間隔と、一対の第２揺動絞り羽根４８の開口形成用縁部４８Ａの間隔との３つの間隔は略同一寸法となる。言い換えると、一対の直進絞り羽根４４で形成される絞り用開口２の直径と、一対の第１揺動絞り羽根４６で形成される絞り用開口２の直径と、一対の第２揺動絞り羽根４８で形成される絞り用開口２の直径とが等しくなるようにした。
【０１２６】
この結果、一対の直進絞り羽根４４の開口形成用縁部４４Ａと、一対の第１揺動絞り羽根４６の開口形成用縁部４６Ａと、一対の第２揺動絞り羽根４８の開口形成用縁部４８Ａとによって形成される絞り用開口２が縮小される。図１１乃至図１３の場合は、絞り用開口２が１段分絞られており、絞り用開口２の形状は、開口形成用縁部４４Ａ、４６Ａ、４８Ａによって略正六角形の形状となる。
【０１２７】
なお、絞り用開口２が図８の開放状態から図１１の１段絞られた状態に至る過程において、絞り用開口２の形状は略円形から略正六角形の形状に連続的に変化している。
【０１２８】
図１１乃至図１３の状態から、さらに、モータ５４が正方向に回転駆動され、環板５２がさらに回転されると、上述と同様の動作により、一対の直進絞り羽根４４がスライドすると共に、一対の第１揺動絞り羽根４６および一対の第２揺動絞り羽根４８が揺動することにより、図１４乃至図１６に示すように、一対の直進絞り羽根４４の開口形成用縁部４４Ａと、一対の第１揺動絞り羽根４６の開口形成用縁部４６Ａと、一対の第２揺動絞り羽根４８の開口形成用縁部４８Ａとによって形成される絞り用開口２がさらに縮小される。図１４乃至図１６の場合は、絞り用開口２が６段分絞られており、絞り用開口２の形状は、開口形成用縁部４４Ａ、４６Ａ、４８Ａによって略正六角形の形状となる。
【０１２９】
図１４乃至図１６の状態から、さらに、モータ５４が正方向に回転駆動され、環板５２がさらに回転されると、上述と同様の動作により、一対の直進絞り羽根４４がスライドすると共に、第１、第２揺動絞り羽根４６、４８が揺動することにより、一対の直進絞り羽根４４の開口形成用縁部４４Ａと、一対の第１揺動絞り羽根４６の開口形成用縁部４６Ａと、一対の第２揺動絞り羽根４８の開口形成用縁部４８Ａとによって形成される絞り用開口２がさらに縮小され、やがて、図１７乃至図１９に示すように、絞り用開口２の全閉状態が形成される。
【０１３０】
なお、この全閉状態において、一対の直進絞り羽根４４のガイド溝４４０２の長手方向の他端に直進絞り羽根用ガイドピン５８が位置し、一対の第１揺動絞り羽根４６のカム溝４６０４の長手方向の他端に第１揺動絞り羽根用駆動ピン５２Ｅが位置し、一対の第２揺動絞り羽根４８のカム溝４８０４の長手方向の他端に第２揺動絞り羽根用駆動ピン５２Ｆが位置している。
【０１３１】
図１７乃至図１９の全閉状態から、モータ５４が逆方向に回転駆動され、環板５２が上記とは逆方向に回転されると、一対の直進絞り羽根４４が上述と逆の方向にスライドすると共に、一対の第１揺動絞り羽根４６および一対の第２揺動絞り羽根４８が上述と逆方向に揺動することにより、一対の直進絞り羽根４４の開口形成用縁部４４Ａと、一対の第１揺動絞り羽根４６の開口形成用縁部４６Ａと、一対の第２揺動絞り羽根４８の開口形成用縁部４８Ａとによって絞り用開口２が形成され、図１４乃至図１６に示すように、絞り用開口２が形成され、モータ５４の逆方向への回転駆動により、絞り用開口２が次第に拡大され、やがて、図８乃至図１０に示す絞り用開口２の開放状態が形成される。
【０１３２】
なお、絞り用開口２が図１１の１段絞られた状態から図８の開放状態に至る過程において、絞り用開口２の形状は略正六角形から略円形の形状に連続的に変化している。
【０１３３】
したがって、モータ５４の回転方向および回転量を制御することにより、光量調整装置４０の絞り用開口２が開放状態と全閉状態との間で調整される。
【０１３４】
次に、スペーサ５０の機能について説明する。
【０１３５】
図２５は図１１の矢印Ａ部分の拡大図であり、図２６は図１１の矢印Ａ部分のうちスペーサ５０を省いた拡大図である。
【０１３６】
図２６に示すように、２つのスペーサ５０のうちの一方のスペーサ５０が設けられていないと、２つの直進絞り羽根４４のうち一方の直進絞り羽根４４のガイド溝４４０２に対して２つの第２揺動絞り羽根４６のうち他方の第２揺動絞り羽根４６の縁部４６１０が臨んでいることから、縁部４６１０がガイド溝４４０２に近接する方向に揺動したときに、縁部４６１０とガイド溝４４０２の縁部とが干渉して第２揺動絞り羽根４６の円滑な揺動が阻害されるおそれがある。
【０１３７】
そこで、本実施の形態では、図２５に示すように、スペーサ５０を一方の直線絞り羽根４４のガイド溝４４０２と他方の第２揺動絞り羽根４６の縁部４６１０との間に介在させることで、言い換えると、直線絞り羽根４４と第２揺動絞り羽根４６とを、それらの厚さ方向においてスペーサ５０を用いて分離することにより、縁部４６１０とガイド溝４４０２の縁部との干渉が防止され、２つの第２揺動絞り羽根４６のうち他方の第２揺動絞り羽根４６の揺動の円滑化が図られている。
【０１３８】
なお、図１１に示すように、２つのスペーサ５０のうち他方のスペーサ５０は、２つの直線絞り羽根４４のうち他方の直線絞り羽根４４のガイド溝４４０２と２つの第２揺動絞り羽根４６のうち一方の第２揺動絞り羽根４６の縁部４６１０との間に介在されており、これにより上述と同様に、２つの第２揺動絞り羽根４６のうち一方の第２揺動絞り羽根４６の揺動の円滑化が図られている。
【０１３９】
以上説明したように本実施の形態によれば、一対の直進絞り羽根４４と、一対の第１揺動絞り羽根４６と、一対の第２揺動絞り羽根４８とを設け、直進絞り羽根４４をスライドさせると共に第１、第２揺動絞り羽根４６、４８を揺動させることで絞り用開口２の大きさを調整するようにしたので、形成される絞り用開口２の形状を絞り用開口２の大きさに拘わらず略円形あるいは略正六角形とすることができる。
【０１４０】
したがって、複数枚の絞り羽根を連動して揺動させる虹彩絞りを用いた光量調整装置に比較して、絞り用開口２の周囲のスペースを縮小することができるので、光量調整装置４０の小型化を図れ、ひいては、レンズ鏡筒１６および撮像装置１０の小型化を図る上で有利となることは無論のこと、絞り用開口２の大きさに拘わらず絞り形状が略円形、あるいは、正多角形となるため、図２７（Ａ）に示すように、ゴースト２やボケの形状が略円形、あるいは、略正多角形となるため、視覚的に自然な画像を撮影することができ、商品価値を高める上で有利となる。
【０１４１】
したがって、これまで虹彩絞り装置の搭載が困難であったレンズ鏡筒１６にも本実施の形態の光量調整装置１０を組み込むことができ、特に、絞り開放付近で形成される絞り用開口２の形状を円形とすることができ、虹彩絞りと同等の良好な絞り用開口２の形状を実現することができる。
【０１４２】
また、絞り用開口２の形状を絞り用開口２の大きさに拘わらず略円形あるいは略正六角形とすることができることから、絞り用開口の形状がひし形になる従来の光量調整装置に比較して、絞り羽根の縁部（絞り用開口端）で反射する光線によって生じる回折劣化を抑制でき、撮影画像の解像度の向上を図る上で有利となる。
【０１４３】
また、本実施の形態では、第１揺動絞り羽根用支軸６０（一対の第１揺動絞り羽根４６の揺動支点）は、光軸方向から見て一対の直進絞り羽根４４の移動軌跡の延長範囲内に位置するように設けられ、第２揺動絞り羽根用支軸６２（一対の第２揺動絞り羽根４８の揺動支点）は、光軸方向から見て一対の直進絞り羽根４４の移動軌跡の延長範囲内に位置するように設けられ、前記駆動機構は、光軸方向から見て一対の直進絞り羽根４４の移動軌跡の延長範囲内に位置しているので、直進絞り羽根４４が往復直線移動する方向における両側のスペースを縮小する上で有利となり、光量調整装置４０、レンズ鏡筒１６および撮像装置１０の小型化を図る上でより一層有利となる。
【０１４４】
また、虹彩絞りを採用した従来の光量調整装置は、絞り羽根の構造が複雑であるため、全閉状態を確実に形成する上で不利がある。
【０１４５】
これに対して本実施の形態の光量調整装置４０は、一対の直進絞り羽根４４と、一対の第１揺動絞り羽根４６と、一対の第２揺動絞り羽根４８とを用いることによって絞り用開口２の全閉状態を容易に形成することができるので、光量調整装置４０によってメカニカルシャッターを実現することが可能となる。
【０１４６】
なお、メカニカルシャッターを実現する上では、シャッターを閉じる際に絞り用開口２の全閉状態を迅速かつ確実に形成することが必要となる。言い換えると、直進絞り羽根４４、第１、第２揺動絞り羽根４６、４８がそれらの厚さ方向において迅速かつ確実に重なり合うことが必要である。
【０１４７】
そこで、本実施の形態では、図１７に示すように、第２揺動絞り羽根４８のカム溝４８０４に、第２揺動絞り羽根４８が全閉状態となる直前の揺動位置から全閉状態に対応する揺動位置に移動する際の第２揺動絞り羽根４８の揺動速度を増速するカム溝部分４８０４Ａを設け、メカニカルシャッターとしての機能を確保した。
【０１４８】
また、本実施の形態では、ベース部材４２の孔４２Ｃの内側に第１揺動絞り羽根４６のカム溝４６０４が位置した状態で、カム溝４６０４を直進絞り羽根４４や第２揺動絞り羽根４８で覆い、また、ベース部材４２の孔４２Ｃの内側に第２揺動絞り羽根４８のカム溝４８０４が位置した状態で、カム溝４８０４を直進絞り羽根４４や第１揺動絞り羽根４６で覆うように構成されている。
【０１４９】
したがって、ベース部材４２の孔４２Ｃの内側に位置するカム溝を通った光が撮像素子１８に到達することを確実に防止することができ、撮像素子１８で撮像される画像の品質を確保する上で有利となっている。
【０１５０】
また、本実施の形態では、光軸Ｌを挟んで対向する対となる絞り羽根４４、４６、４８同士を、光軸Ｌを中心として点対称となるように配置した。すなわち、一対の直進絞り羽根４４同士、一対の第１揺動絞り羽根４６同士、一対の第２揺動絞り羽根４８同士のそれぞれを、それらを重ね合わせる方向において対称となるように配置した。
【０１５１】
そのため、光軸Ｌを挟んで対向する対となる絞り羽根同士が互いに干渉することを防止でき、絞り羽根の開閉動作の円滑化を図る上で有利となる。
【０１５２】
本実施の形態では、直進絞り羽根４４をスライドさせると共に第１、第２揺動絞り羽根４６、４８を揺動させる駆動機構がモータ５４および環板５２を含んで構成されている場合について説明したが、駆動機構としてリンク機構を用いるなど従来公知のさまざまな構成が採用可能であることは無論である。
【０１５３】
また、本実施の形態では、光量調整装置４０が一対の直進絞り羽根４４と、一対の第１揺動絞り羽根４６と、一対の第２揺動絞り羽根４８との合計６枚の絞り羽根を有する場合について説明したが、光量調整装置４０は一対の直進絞り羽根と一対の揺動絞り羽根で構成されていてもよく、その場合、一対の揺動絞り羽根は複数組設けられていてもよく、要するに絞り羽根の合計枚数は４枚であってもあるいは８枚以上であってもよい。
【０１５４】
また、本実施の形態では、撮像装置がビデオカメラである場合について説明したが、本発明は、デジタルスチルカメラやカメラ付き携帯電話機、監視カメラ装置などの撮像装置に広く適用可能である。
【０１５５】
また、本実施の形態では、光量調整装置が撮像装置に適用される場合について説明したが、本発明はこれに限定されるものではなく、例えば、本発明に係る光量調整装置をプロジェクター装置における光源の光量調整装置として用いるなど任意である。
【図面の簡単な説明】
【０１５６】
【図１】本実施の形態の撮像装置１０の斜視図である。
【図２】撮像装置１０のディスプレイパネル２２が開放位置に位置した状態の斜視図である。
【図３】撮像装置１０の制御系の構成を示すブロック図である。
【図４】光量調整装置４０の構成を示す分解斜視図である。
【図５】光量調整装置４０から直進絞り羽根４４および第１、第２揺動絞り羽根４６、４８を取り除いて後方から見た斜視図である。
【図６】光量調整装置４０から直進絞り羽根４４および第１、第２揺動絞り羽根４６、４８を取り除いて後方から見た平面図である。
【図７】光量調整装置４０を後方から見た斜視図である。
【図８】絞り用開口２が開放状態にある光量調整装置４０を後方から見た平面図である。
【図９】絞り用開口２が開放状態にある光量調整装置４０を後方から見た斜視図である。
【図１０】絞り用開口２が開放状態にある光量調整装置４０を前方から見た斜視図である。
【図１１】絞り用開口２を１段絞った状態の光量調整装置４０を後方から見た平面図ある。
【図１２】絞り用開口２を１段絞った状態の光量調整装置４０を後方から見た斜視図ある。
【図１３】絞り用開口２を１段絞った状態の光量調整装置４０を前方から見た斜視図である。
【図１４】絞り用開口２を６段絞った状態の光量調整装置４０を後方から見た平面図ある。
【図１５】絞り用開口２を６段絞った状態の光量調整装置４０を後方から見た斜視図ある。
【図１６】絞り用開口２を６段絞った状態の光量調整装置４０を前方から見た斜視図である。
【図１７】絞り用開口２が全閉状態にある光量調整装置４０を後方から見た平面図ある。
【図１８】絞り用開口２が全閉状態にある光量調整装置４０を後方から見た斜視図ある。
【図１９】絞り用開口２が全閉状態にある光量調整装置４０を前方から見た斜視図である。
【図２０】直進絞り羽根４４の平面図である。
【図２１】第１揺動絞り羽根４６の平面図である。
【図２２】第２揺動絞り羽根４８の平面図である。
【図２３】スペーサ５０の平面図である。
【図２４】ベース部材４２と環板５２の断面図である。
【図２５】図１１の矢印Ａ部分の拡大図である。
【図２６】図１１の矢印Ａ部分のうちスペーサ５０を省いた拡大図である。
【図２７】（Ａ）は虹彩絞りにおける絞り形状のゴーストの説明図、（Ｂ）は２枚の絞り羽根によって形成される絞り形状のゴーストの説明図である。
【符号の説明】
【０１５７】
Ｌ……光軸、２……絞り用開口、４０……光量調整装置、４４……直進絞り羽根、４６……揺動絞り羽根、４８……揺動絞り羽根、４４０２……ガイド溝、４８０４…カム溝、５０…スペーサ、５００２…取付孔、５８…ガイドピン
【図１】
2010204693.tif 000003
【図２】
2010204693.tif 000004
【図３】
2010204693.tif 000005
【図４】
2010204693.tif 000006
【図５】
2010204693.tif 000007
【図６】
2010204693.tif 000008
【図７】
2010204693.tif 000009
【図８】
2010204693.tif 000010
【図９】
2010204693.tif 000011
【図１０】
2010204693.tif 000012
【図１１】
2010204693.tif 000013
【図１２】
2010204693.tif 000014
【図１３】
2010204693.tif 000015
【図１４】
2010204693.tif 000016
【図１５】
2010204693.tif 000017
【図１６】
2010204693.tif 000018
【図１７】
2010204693.tif 000019
【図１８】
2010204693.tif 000020
【図１９】
2010204693.tif 000021
【図２０】
2010204693.tif 000022
【図２１】
2010204693.tif 000023
【図２２】
2010204693.tif 000024
【図２３】
2010204693.tif 000025
【図２４】
2010204693.tif 000026
【図２５】
2010204693.tif 000027
【図２６】
2010204693.tif 000028
【図２７】
2010204693.tif 000029